(57)【要約】【課題】リッドを前後移動するだけで可動部材を同期して前後移動可能とする。【解決手段】リッド２に前後移動可能に保持されたドア部材３に対し、リッド２の前後移動に伴ってドア部材３を移動させるギヤ装置６を備えた。  ギヤ装置６のうち上ギヤ61は、下ギヤ60によって一方向へ強制的に回動されるので、リッド２の前進移動時にドア部材３がリッド２から前進し、リッド２の前方で開口11を閉じる。【選択図】図10
2009107480.tif 000002
【特許請求の範囲】
【請求項１】
上部に開口する第１収納部と該第１収納部と並列に設けられ上部に開口する第２収納部とを備えたボックス本体と、
該ボックス本体に移動可能に保持され該第１収納部を開閉するリッドと、
該ボックス本体又は該リッドに移動可能に保持され該第２収納部を開閉する可動部材と、
該リッドの移動に伴って該可動部材を移動させる同期駆動手段と、を備え、
該同期駆動手段は、該第１収納部の開動作又は閉動作のいずれか一方への該リッドの移動時のみに該第２収納部を開く方向又は閉じる方向のいずれか一方に該可動部材を移動することを特徴とするコンソールボックス。
【請求項２】
前記第２収納部は前記第１収納部の前方に位置し、前記可動部材は前記リッドに収容可能であって前記リッドの前方に表出して前記第２収納部を閉じるドア部材であり、前記同期駆動手段は前記リッドの前記第１収納部を閉じる方向への移動時に該ドア部材を移動させて前記第２収納部を閉じる請求項１に記載のコンソールボックス。
【請求項３】
前記同期駆動手段は、前記リッドに枢支され前記リッドの移動に伴って回動する駆動ギヤと、該駆動ギヤの一方向への回動にのみ追従して回動する従動ギヤと、前記可動部材に形成され該従動ギヤが噛合するラックと、からなる請求項２に記載のコンソールボックス。
【発明の詳細な説明】
【技術分野】
【０００１】
本発明は、自動車のコンソールに設けられるコンソールボックスに関し、詳しくはスライド移動などの前後移動によってボックス本体を開閉するリッドをもつコンソールボックスに関する。
【背景技術】
【０００２】
自動車のコンソールボックスとしては、アームレストを兼ねたリッドを備えるものが広く用いられている。このようなコンソールボックスにおいては、乗員の体躯に応じてアームレストを使用できるようにするために、リッドはボックス本体に対して前後にスライド移動可能な構造とされている。
【０００３】
このようなコンソールボックスにおいては、ボックス本体の前後方向長さはリッドの前後方向長さより一般に長くされることがある。この場合、リッドが後方へ移動された時などには開口の前端部が表出し、不使用時にボックス内部が視認されてしまう。そこで、そのような場合にはリッドの前端からボックス本体の開口前端までを覆うドア部材を設けることが考えられる。
【０００４】
例えば、スライド移動によってリッドの前端からリッド内へ出入するドア部材を設けることが考えられる。このようにすれば、ボックス本体の不使用時にはドア部材を引き出して開口を閉じることができ、ボックス本体の使用時にはドア部材をリッド内部に収納するとともにリッドを後方へスライド移動させることで開口を開くことができる。
【０００５】
このような機構をもつものとして特開平05−338497号公報には、揺動によってボックス本体の後部を開閉するリッドと、スライド移動によってボックス本体の前部を開閉するカバーと、カバーを揺動させるリンク機構と、を備えたコンソールボックスが提案されている。このコンソールボックスによれば、リッドを閉じた状態でカバーによってボックス本体の前部を開閉することができる。またボックス本体の全部を開く場合には、カバーを後退させてボックス本体の前部を開き、リッドを揺動させてボックス本体の後部を開く。するとリンク機構によってカバーはリッドの下面に沿うように揺動する。したがってカバーが邪魔になることなく、ボックス本体の全部を使用することができる。
【０００６】
ところが上記のようなカバーを設けた場合には、ボックス本体の使用時から閉状態とする際には、先ずリッドを揺動させてボックス本体の後部を閉じ、その後にカバーをリッドから引き出してボックス本体の前部を閉じることになる。このように二段階の手動操作が必要となるのは、面倒であって好ましいことではない。
【０００７】
そこで特開2006−232254号公報には、スライド状に移動する第１のドアの前方に揺動可能な第２のドアを設けたコンソール装置が提案されている。このコンソール装置によれば、ボックス本体の使用時から開口を閉じる際には、第２のドアを揺動させて開口前部を閉じると、その動きに連動して第１のドアが移動して残りの開口を閉じる。したがって、一段階の手動操作によってボックス本体の開口を閉じることができる。
【０００８】
しかし上記公報に記載のコンソール装置では、第２のドアの動きに連動して第１のドアを移動させるための手段が複雑なものとなり、組付工数が多くなって高価となってしまう。また作動の精度の安定性も高いとは云えなかった。
【特許文献１】特開平05−338497号公報
【特許文献２】特開2006−232254号公報
【発明の開示】
【発明が解決しようとする課題】
【０００９】
本発明は上記事情に鑑みてなされたものであり、単純な構造を用い、リッドを移動するだけで可動部材を同期して移動可能とすることを解決すべき課題とする。
【課題を解決するための手段】
【００１０】
上記課題を解決する本発明のコンソールボックスの特徴は、上部に開口する第１収納部と第１収納部と並列に設けられ上部に開口する第２収納部とを備えたボックス本体と、ボックス本体に移動可能に保持され第１収納部を開閉するリッドと、ボックス本体又はリッドに移動可能に保持され第２収納部を開閉する可動部材と、リッドの移動に伴って可動部材を移動させる同期駆動手段と、を備え、
同期駆動手段は、第１収納部の開動作又は閉動作のいずれか一方へのリッドの移動時のみに第２収納部を開く方向又は閉じる方向のいずれか一方に可動部材を移動することにある。
【発明の効果】
【００１１】
本発明のコンソールボックスによれば、例えばギヤ装置などからなる同期駆動手段を用いているので、構造が単純となり、作動の精度が安定するとともに安価とすることができる。そしてリッドを移動させるという一段階の手動操作によって可動部材も移動させることができるので、操作性に優れている。
【発明を実施するための最良の形態】
【００１２】
本発明のコンソールボックスは、ボックス本体と、リッドと、可動部材と、同期駆動手段と、から構成されている。ボックス本体は、上部に開口する箱状の収納空間をもつ従来と同様のものを用いることができる。
【００１３】
ボックス本体は、上部に開口する第１収納部と、第１収納部と並列に設けられ上部に開口する第２収納部と、を備えている。第１収納部と第２収納部とでボックス本体の収納空間が構成されている。第１収納部と第２収納部とは、車両の前後方向、車幅方向、あるいは上下方向に並列に設けることができる。第１収納部と第２収納部との間に仕切り板などを介在させて互いに区画してもよいが、仕切り板などを介在させず互いに連通する空間とするのが好ましい。このようにすれば、第１収納部と第２収納部とからなる広い空間が収納空間となるので、大きな物を収納することができる。
【００１４】
リッドはボックス本体に移動可能に保持され、第１収納部を開閉する。この移動は、前後又は左右へのスライド移動であってもよいし、揺動でもよい。このリッドの移動によってボックス本体の第１収納部が開閉される。リッドをアームレストとして使用する場合には、体躯に合わせて位置を調節可能とするために、前後にスライド移動する構成とすることが望ましい。例えば後方へのリッドのスライド移動によって第１収納部を開き、前方へのスライド移動によって第１収納部を閉じるように構成することができる。この場合、後方へのスライド移動により第１収納部を全開してもよいし、所定位置まで後方へ移動した後に揺動して第１収納部を全開するように構成することもできる。またリッドを前後にスライド移動可能とした場合には、リッドをアームレストとしての使用位置で固定するロック手段と、ロック手段によるロックを解除する解除手段とを備えることが望ましい。
【００１５】
可動部材は、ボックス本体又はリッドに移動可能に保持され、第２収納部を開閉する。リッドとは独立してボックス本体に移動可能に保持された構成とした場合は、リッドが所定位置まで移動した時に移動して第２収納部を閉じると共に第２収納部に表出する小物入れなどとすることができる。またリッドに移動可能に保持された構成とした場合は、リッドの前端から引き出すことで第２収納部を閉じるドア部材などとすることができる。
【００１６】
本発明の特徴をなす同期駆動手段は、リッドの移動に伴って可動部材を移動させるものであり、例えばギヤ装置、ラックとピニオンなどから構成することができる。リッド及びドア部材が共に車両の前後方向にスライド移動する構成とした場合には、同期駆動手段は以下の４つの選択枝から選ばれる一つの動作を行う。例えばギヤ装置あるいはラックとピニオンなどから構成すれば、どの動作を選んでも容易に設計することができる。
【００１７】
（１）リッドが後退するのに伴って可動部材を前進させる。
【００１８】
（２）リッドが後退するのに伴って可動部材を後退させる。
【００１９】
（３）リッドが前進するのに伴って可動部材を前進させる。
【００２０】
（４）リッドが前進するのに伴って可動部材を後退させる。
【００２１】
この場合、同期駆動手段は、リッドの一方向への移動時のみに可動部材を一方向又はその逆方向へ移動する。しかし同期駆動手段を複数個設け、それぞれの駆動を切り替える切り替え手段を用いれば、上記４つの中から選ばれる複数の動作をそれぞれ又は組み合わせて行うことが可能である。
【００２２】
同期駆動手段は、例えば、リッドに枢支されリッドの前後移動に伴って回動する駆動ギヤと、駆動ギヤの一方向への回動にのみ追従して回動する従動ギヤと、可動部材に形成され従動ギヤが噛合するラックと、から構成することができる。
【００２３】
リッドの前後移動に伴って駆動ギヤを回動させるには、ワイヤや紐を用いる方法、ラックと噛合させる方法などがあるが、作動精度の観点からはラックと噛合させるのが好ましい。すなわち、ボックス本体に形成されたラックに、リッドに枢支された駆動ギヤを噛合させれば、リッドの前後移動に伴って駆動ギヤが回動することになる。
【００２４】
従動ギヤは、駆動ギヤの一方向への回動にのみ追従して回動する。このような従動ギヤとしては、ラチェット機能をもつギヤ、あるいはワンウェイクラッチを内蔵するギヤなどを用いることができる。
【実施例】
【００２５】
以下、実施例により本発明を具体的に説明する。なお以下の実施例では、車両の前後方向を前後方向といい、前後方向に対して直角な水平方向を左右方向といい、前後方向及び左右方向に対して直角な方向を上下方向という。
【００２６】
（実施例１）
図１〜４に、本実施例に係るコンソールボックスを示す。このコンソールボックスは、箱状のボックス本体１と、リッド２と、ドア部材３と、ノブスイッチ４と、ボックス本体１の外表面を覆うカバー10と、を有している。
【００２７】
ボックス本体１は、図６にも示すように、上方に向かって開口する開口11を備えた容器形状をなし、その開口11近傍の左右内壁面には前後方向に延びる一対の案内溝12が形成されている。案内溝12の底部には、左右方向に貫通して延びる複数のロック孔13が前後方向に互いに間隔を隔てて列設されている。また左右両側の案内溝12の上部には、前後方向に延びるボックス側ラック14が前後方向の一部にそれぞれ形成されている。
【００２８】
ボックス本体１には、後部に第１収納部(A) が形成され、前部に第２収納部(B) が形成されている。第１収納部(A) 及び第２収納部(B) は互いに連通して広い収納空間を構成し、開口11は第１収納部(A) 及び第２収納部(B) のそれぞれを使用する際の出し入れ口と、両者が合体された広い収納空間を使用する際の出し入れ口となっている。
【００２９】
リッド２は、図５に示すように、樹脂製の基板20に固定されている。基板20の左右側壁からは突起201 が左右両側にそれぞれ突出し、図６に示すように、突起201 がボックス本体１の左右一対の案内溝12にそれぞれ係合することで、リッド２はボックス本体１に前後方向にスライド移動自在に保持されている。なお突起201 の長さは、案内溝12には係合するものの、ロック孔13に届かない長さとされている。
【００３０】
ドア部材３は樹脂から板状に形成され、幅の広い頭部30と幅の狭い脚部31とからなる略Ｔ字形状に形成されている。頭部30の左右両端には、左右両側へ突出する突起32が前後方向にそれぞれ一対形成され、脚部31の左右両側には、前後方向に延びるドア側ラック33がそれぞれ形成されている。また脚部31の上表面には後方に係止端面をもつ爪部材34が形成されている。爪部材34には図示しないダンパ装置が内蔵され、ダンパ装置に連結されたピニオンギヤ35が表出している。さらに脚部31の先端部には、板バネ５の先端を係止する係止部36が形成されている。
【００３１】
このドア部材３は、図７に示すように、左右両側へ突出する突起32がボックス本体１の左右一対の案内溝12にそれぞれ係合することで、ボックス本体１に前後方向にスライド移動自在に保持されている。なお突起32の長さは、案内溝12には係合するものの、ロック孔13には届かない長さとされている。
【００３２】
リッド２の基板20には、図５に示すように、板バネ５、ギヤ装置６、スイッチ部材７が保持されている。
【００３３】
基板20の上面には、互いに間隔を隔てて対向する一対のフランジ202 が突出形成されている。一対のフランジ202 からは、リブ203 がそれぞれ前方へ向かって延び、一対のリブ203 の間には基板20を貫通するスリット204 が形成されている。また一対のリブ203 の先端には一対の第２フランジ205 が突出形成されている。さらに一方のリブ203 には、スリット204 に対向して前後方向に延びる図示されない中央ラックが、基板20の下面に表出して形成されている。
【００３４】
一対のリブ203 の中間部からは、互いに平行に延びる一対の横リブ206 が左右両側に向かって延びている。互いに平行に延びる横リブ206 どうしの間には、溝部207 が左右それぞれ形成され、溝部207 の左右両端部は基板20の厚さ方向に貫通している。横リブ206の左右両端には、下面側で凹形状となるレール208 がそれぞれ前後方向に延びて形成されている。一対のレール208 の中間部には、有底円筒状のギヤ軸保持部209 が形成されている。さらに基板20の前端部には、前後方向に延びる縦リブ210 が左右一対で形成され、縦リブ210 には前後方向に延びる長孔211 がそれぞれ形成されている。
【００３５】
リッド２の前端には、ノブスイッチ４がスライド可能に保持されている。ノブスイッチ４は、図８に示すように、樹脂製の基体40と、基体40に保持された一対のロック部材41と、バネ42とからなる。基体40にはテーパ面44を有する六角形状の長孔43が形成されている。また基体40の先端部の左右両壁からは、それぞれ一対の突起45が左右両側へ突出形成されている。
【００３６】
ロック部材41には、上方へ突出する上突起46が形成され、上突起46が長孔43を下方から上方へ向かって貫通している。そして図５に示すように、基体40から突出した一対の上突起46にバネ42が係合することで、ロック部材41は基体40から左右両側へ突出する方向へそれぞれ付勢され、上突起46が長孔43の両端に係合保持されている。またロック部材41の一端からは、ロックピン47が左右両側へそれぞれ突出して形成されている。
【００３７】
このように構成されたノブスイッチ４は、一対のロック部材41が一対の横リブ 206の間に形成された溝部207 に左右方向にスライド移動可能に配置されている。左右一対のロックピン47は、バネ42によって付勢されることで、基板20の下面側で左右両側に突出し、図６に示すようにボックス本体１の案内溝12に形成されたロック孔13と係合する。また突起45が縦リブ210 に形成された長孔211 にそれぞれ係合している。したがってノブスイッチ４は、左右一対のロックピン47が互いに近接する方向へ移動することで、長孔43の幅方向寸法からロック部材41の上突起46の直径を差し引いた寸法分だけ、前後方向にスライド移動可能となっている。
【００３８】
すなわち図９に示すように、ドア部材３の突起32と基板20の突起201 は案内溝12内を移動可能であるがロック孔13には届かない。またロックピン47は、左右一対のロックピン47が互いに近接する方向へ移動した状態で案内溝12内を移動可能であり、ロック孔13の位置ではバネ42の付勢によってロック孔13と係合することで基板20のスライド移動を規制する。
【００３９】
板バネ５は巻き取り部50を有し、巻き取り部50は、基板20の下面からスリット204 を通じて一対のフランジ202 の間に回動自在に保持されている。板バネ５は、巻き取り部50から基板20の下面に沿って前方へ延び、その先端がドア部材３の係止部36に係止されることで、ドア部材３を後方へ移動するように付勢する。
【００４０】
本実施例のコンソールボックスは、ギヤ装置６からなる同期駆動手段を備えている。このギヤ装置６は、下ギヤ60と上ギヤ61から構成されている。上ギヤ61は、下ギヤ60から突出するピン62に回動自在に枢支されている。ピン62は、図10に示すように、基板20のギヤ軸保持部209 に回動自在に枢支されている。そして下ギヤ60はボックス側ラック14と噛合し、上ギヤ61はドア側ラック33と噛合する。また基板20と上ギヤ61との間にはスプリング63が介在され、スプリング63によって上ギヤ61は下ギヤ60に向かう方向へ押圧付勢されている。
【００４１】
図11に示すように、下ギヤ60の上ギヤ61に対向する表面には、軸芯を中心にして一周する下ラッチ64が形成されている。下ラッチ64は複数のラッチ歯からなり、左右両側のギヤ装置６のうち図４に示された左側における各々のラッチ歯は、上方から見て半時計回り方向に徐々に高さが高くなる滑り面64a と滑り面64a の最も高さが高い端部から一気に下降する係止面64b と、を備えている。図４に示されない右側の下ギヤ60では、逆になる。
【００４２】
一方、上ギヤ61の下ギヤ60に対向する表面には、軸芯を中心にして一周する上ラッチ65が形成されている。上ラッチ65は複数のラッチ歯からなり、左右両側のギヤ装置６のうち図４に示された左側における各々のラッチ歯は、下方から見て半時計回り方向に徐々に高さが高くなる滑り面65a と滑り面65a の最も高さが高い端部から一気に下降する係止面65b と、を備えている。図４に示されない右側の上ギヤ61では、逆になる。
【００４３】
上記のような構造をもつ下ギヤ60と上ギヤ61を重ねてなるギヤ装置６によれば、下ギヤ60が軸芯を中心に上方から見て半時計回り方向に回動した場合には、スプリング63の付勢力によって係止面64b が係止面65bと係合するため、上ギヤ61も半時計回りに回動する。しかし下ギヤ60が軸芯を中心に上方から見て時計回り方向に回動した場合には、滑り面64a と滑り面65a とが当接するため、上ギヤ61は時計回り方向又は半時計回り方向に空回り可能となる。
【００４４】
スイッチ部材７は、図12に示すように、軸部70と、軸部70から後方に延びる爪部71と、軸部70から上方に延び先端が断面円弧状の第１当接部72と、軸部70から前方に延びテーパ表面74をもつ第２当接部73とが形成されている。このスイッチ部材７は、軸部70が基板20に形成された一対の第２フランジ205 に枢支されることで揺動可能となっている。そしてスプリング75が軸部70に介装され、爪部71が下方へ向かう方向へスイッチ部材７を付勢している。
【００４５】
爪部71は、ドア部材３に形成された爪部材34に係合可能となっている。またノブスイッチ４の裏面側には、図12に示すように、第１当接部72より後方で第１当接部72に当接する第１規制部48と、第２当接部73より前方でテーパ表面74に当接する第２規制部49とが形成されている。
【００４６】
したがってノブスイッチ４を後方へ移動させると、テーパ表面74が第２規制部49に沿って移動することでスイッチ部材７が図12の矢印Ａ方向へ揺動し、爪部71と爪部材34との係合が解除される。またノブスイッチ４を前方へ移動させても、第１規制部48が第１当接部を押圧することでスイッチ部材７が図12の矢印Ａ方向へ揺動し、爪部71と爪部材34との係合が解除される。
【００４７】
上記のように構成された本実施例のコンソールボックスの作動機構を以下に説明する。なお図４に示された左側におけるギヤ装置４によって、その作用を説明する。図４に示されない右側のギヤ装置４では、各ギヤの回動方向が逆になる。
【００４８】
先ず図１に示す全閉状態では、ドア部材３が前進位置にあり第２収納部(B) の開口11が閉じられている。この状態でノブスイッチ４を操作すると、爪部71と爪部材34との係合が解除される。すると板バネ５によって付勢されたドア部材３は、突起32が案内溝12に案内されながら、後方へスライド移動し第２収納部(B) を使用することができる。このとき、図示しない中央ラックにピニオンギヤ35が噛合することでダンパ装置が駆動され、ドア部材３は後方へゆっくりと移動して基板20の下方に収容される。なお爪部材34はスリット204 内を移動するため、基板10と干渉することがない。
【００４９】
またノブスイッチ４を操作すると、テーパ面44によって左右一対の上突起46が長孔43内を移動し、一対のロック部材41は互いに近接する方向へ移動する。これによってロックピン47とロック孔13との係合が解除され、基板20と共にリッド２のスライド移動が可能となる。
【００５０】
このとき図４に示したように、下ギヤ60はボックス側ラック14の形成されている範囲より前方にあるので、リッド２は前方には自由に移動でき、アームレストとしての位置を調整することができる。またリッド２を後方へ移動させ、下ギヤ60とボックス側ラック14とが噛合した場合には、下ギヤ60は上方から見て時計回りに回動する。しかし下ラッチ64と上ラッチ65とは滑り面64a と滑り面65a とが当接するため、上ギヤ61には下ギヤ60の回動の力が伝達されない。したがってドア部材３が収納された状態を維持した状態で、リッド２は後方へも自由に移動可能でありアームレストとしての位置を調整することができる。
【００５１】
さらに下ギヤ60とボックス側ラック14とが噛合した状態でリッド２を前方へ移動させようとした場合には、下ラッチ64と上ラッチ65とが係合するため、下ギヤ60が上方から見て半時計回りに回動するに伴って上ギヤ61も半時計回りに回動し、上ギヤ64と噛合しているドア側ラック33によってドア部材３が前方へ移動する。
【００５２】
しかしリッド２が停止した状態では、ドア部材３は前方へ移動自在であるので、リッド２がどの位置にあっても手動でドア部材３を引き出すことで第２収納部(B) を閉じることができ、ボックス本体１の内部が視認されることがなく見栄えがよい。
【００５３】
第１収納部(A) を使用する場合には、上記と同様に先ずノブスイッチ４の操作によって、ドア部材３が後方へスライド移動してリッド２に収容され、第２収納部(B) が開いた図２の状態となる。次いでノブスイッチ４を後方へ押圧しながら、リッド２をドア部材３と共にさらに後方へスライド移動させる。
【００５４】
すると、ボックス側ラック14によって下ギヤ60が上方から見て時計回りに回動する。しかし下ラッチ64と上ラッチ65とは滑り面64a と滑り面65a とが当接するため、上ギヤ61には下ギヤ60の回動の力が伝達されない。したがってドア側ラック33と上ギヤ61との相対位置が固定された状態で、ドア部材３はリッド２と共に後方へ移動する。リッド２をさらに後方へ移動すると、ボックス側ラック14が形成されていない範囲となることで下ギヤ60の回動が停止し、ドア部材３はリッド２と共に後方へ移動する。
【００５５】
そして所定位置でロックピン47がロック孔13と係合することで、図３に示すように第１収納部(A) と第２収納部(B) とが開き、ボックス本体１は全開状態で保持される。
【００５６】
ボックス本体１の使用を終了する場合は、ノブスイッチ４を操作しながらリッド２を前方へスライド移動させる。すると所定位置まではボックス側ラック14が存在しないので、下ギヤ60は回動せず、ドア側ラック33と上ギヤ61との相対位置が固定された状態で、ドア部材３はリッド２と共に前方へ移動して第１収納部(A) が閉じられる。
【００５７】
ボックス側ラック14と下ギヤ60とが噛合すると、リッド２の前方への移動によって下ギヤ60は上方から見て半時計回りに回動する。すると下ラッチ64と上ラッチ65とは、係止面64b が係止面65bと係合するため、上ギヤ61も上方から見て半時計回りに回動する。したがって上ギヤ61とドア側ラック33との噛合によって、ドア部材３はリッド２に対して前方へ相対的に移動する。
【００５８】
ここで下ギヤ60とボックス側ラック14とのギヤ比と、上ギヤ61とドア側ラック33とのギヤ比、及びボックス側ラック14の長さが最適に設定されているので、リッド２の前進より早くドア部材３が前進し、リッド２が第１収納部(A) を閉じた時点でドア部材３が第２収納部(B) を閉じることで、図１に示す全閉状態となる。そしてドア部材３の前進によって板バネ５が引き出され、板バネ５には次の開操作時にドア部材３を後退させるための付勢力が蓄えられる。
【００５９】
したがって本実施例のコンソールボックスによれば、リッド２を前後移動するだけでドア部材３を同期して前後移動させることができ、リッド２の長さ以上に長い開口11を自動的に閉状態とすることができる。
【００６０】
（実施例２）
本実施例のコンソールボックスに用いたドア部材３を図13に示す。このドア部材３では、爪部材34の向きが実施例１と逆になっている。そして脚部31の後端からは押圧ロッド37が後方へ向かって突出している。
【００６１】
基板20の下面には収納筒部212 が形成され、収納筒部212 にはコイルスプリング38が収納されている。ドア部材３が基板20に対して後方へ相対移動したときには、押圧ロッド37が収納筒部212に進入してコイルスプリング38を圧縮する。
【００６２】
図14に示すように、スイッチ部材７は爪部71が前方に向かって突出し、爪部材34と係合可能に構成されている。またスイッチ部材７は、実施例１より後方に形成された第２フランジ205 に揺動自在に枢支され、スプリング75が実施例１と同様に介装されている。そして図示しないノブスイッチ４は、押圧操作することで爪部71と爪部材34との係合が解除されるように構成されている。
【００６３】
また図示はしないが、ギヤ装置６のラッチ64及びラッチ65の向きをそれぞれ実施例１とは逆としている。その他の構成は実施例１と同様である。したがってその作動機構を、実施例１と同一の符合を用いて説明することとする。
【００６４】
先ず図１に示す全閉状態では、ドア部材３が前進位置にあり第２収納部(B) が閉じられている。この状態では、爪部71と爪部材34とは係合していない。ノブスイッチ４を操作すると、ロックピン47とロック孔13との係合が解除され、基板20と共にリッド２のスライド移動が可能となる。下ギヤ60がボックス側ラック14の形成されている範囲より前方にある間は、リッド２は前後に自由に移動でき、アームレストとしての位置を調整することができる。
【００６５】
リッド２を後方へ移動させ、ボックス側ラック14と下ギヤ60とが噛合すると、下ラッチ64と上ラッチ65とが係合するため、下ギヤ60が上方から見て時計回りに回動するとともに、上ギヤ61も上方から見て時計回りに回動する。すると上ギヤ61とドア側ラック33との噛合によって、ドア部材３が後退する。
【００６６】
ここで下ギヤ60とボックス側ラック14とのギヤ比と、上ギヤ61とドア側ラック33とのギヤ比、及びボックス側ラック14の長さが最適に設定されているので、リッド２の後退より早くドア部材３が後退する。このときドア部材３の後方への移動によって、コイルスプリング38にはドア部材３を前方へ押圧する付勢力が蓄えられる。
【００６７】
そしてリッド２が第１収納部(A) を開いた時点では、ドア部材３はリッド２に収容された状態となり、爪部71と爪部材34とが係合するため、ドア部材３はリッド２に収容された状態が保持されている。これによりドア部材３が不用意に閉じるような不具合なく、第１収納部(A) と第２収納部(B) とを使用することができる。
【００６８】
ボックス本体１の使用を終了する場合において、先ずノブスイッチ４を操作すると、爪部71と爪部材34との係合が解除される。また上ギヤ61は、上方から見て半時計回り方向には自由に回動可能である。したがってドア部材３は、コイルスプリング38の付勢力によって自動的に前方へ移動し、リッド２より前方に突出した状態となる。このときダンパによってドア部材３はゆっくりと移動する。
【００６９】
リッド２を前方へスライド移動させると、下ギヤ60は上方から見て半時計回りに回動するものの、上ギヤ61は空回りするため、ドア側ラック33と上ギヤ61とは相対位置が固定された状態で、ドア部材３はリッド２と共に前方へ移動しリッド２と共に開口11を閉じる。
【００７０】
したがって本実施例のコンソールボックスにおいても、リッド２を前後移動するだけでドア部材３を同期して前後移動させることができ、リッド２の長さ以上に長い開口11を自動的に閉状態とすることができる。
【００７１】
なお上記実施例ではドア部材３を用いた例を示したが、ボックス本体１の内部に配置された小物入れなどを開口11に出入させる場合などにも本発明を応用できることは云うまでもない。
【図面の簡単な説明】
【００７２】
【図１】本発明の一実施例に係るコンソールボックスを全閉状態で示す斜視図である。
【図２】本発明の一実施例に係るコンソールボックスを半開状態で示す斜視図である。
【図３】本発明の一実施例に係るコンソールボックスを全開状態で示す斜視図である。
【図４】本発明の一実施例に係るコンソールボックスを全閉状態で示す一部破断した斜視図である。
【図５】本発明の一実施例に係るコンソールボックスの部品構成を示す分解斜視図である。
【図６】本発明の一実施例に係るコンソールボックスの組付構造を示す分解斜視図である。
【図７】本発明の一実施例に係るコンソールボックスの組付構造を示す分解斜視図である。
【図８】本発明の一実施例に用いたノブスイッチの部品構成を示す分解斜視図である。
【図９】本発明の一実施例に係るコンソールボックスの要部断面図である。
【図１０】本発明の一実施例に係るコンソールボックスの要部拡大斜視図である。
【図１１】本発明の一実施例に用いたギヤ装置の分解斜視図である。
【図１２】本発明の一実施例に係るコンソールボックスの要部拡大断面図である。
【図１３】本発明の第２の実施例に係るコンソールボックスの組付構造を示す分解斜視図である。
【図１４】本発明の第２の実施例に係るコンソールボックスの組付構造を示す分解斜視図である。
【符号の説明】
【００７３】
１：ボックス本体      ２：リッド        ３：ドア部材
４：ノブスイッチ      ５：板バネ        ６：ギヤ装置
７：スイッチ部材      11：開口          12：案内溝
13：ロック孔          14：ボックス側ラック
33：ドア側ラック      41：ロック部材    60：下ギヤ
61：上ギヤ            64：ラッチ        65：ラッチ
A ：第１収納部        B ：第２収納部
【図１】
2009107480.tif 000003
【図２】
2009107480.tif 000004
【図３】
2009107480.tif 000005
【図４】
2009107480.tif 000006
【図５】
2009107480.tif 000007
【図６】
2009107480.tif 000008
【図７】
2009107480.tif 000009
【図８】
2009107480.tif 000010
【図９】
2009107480.tif 000011
【図１０】
2009107480.tif 000012
【図１１】
2009107480.tif 000013
【図１２】
2009107480.tif 000014
【図１３】
2009107480.tif 000015
【図１４】
2009107480.tif 000016